(57)【要約】      （修正有）【課題】より小型で、自動分析装置への適用においてもスループットを低下させない希釈容器を提供する。【解決手段】希釈カップ７および試薬分注ノズル洗浄用カップ９を一体化させ、好ましくはさらに希釈カップ７の洗浄と試薬分注ノズル洗浄用カップ９の洗浄のための共通の洗浄機構を有する希釈容器１００、希釈容器１００にさらに試薬分注ノズルを有する試薬分注・希釈システム、および、試薬分注・希釈システムを有する、自動分析装置。【選択図】図１
2018096934.tif 000002
【特許請求の範囲】
【請求項１】
希釈カップおよび試薬分注ノズル洗浄用カップを一体化させた希釈容器。
【請求項２】
さらに希釈カップの洗浄と試薬分注ノズル洗浄用カップの洗浄のための共通の洗浄機構を有する、請求項１の希釈容器。
【請求項３】
請求項１または請求項２の希釈容器に、さらに試薬分注ノズルを有する、試薬分注・希釈システム。
【請求項４】
請求項３の試薬分注・希釈システムを有する、自動分析装置。
【発明の詳細な説明】
【技術分野】
【０００１】
本発明は、希釈容器に関するものである。さらに詳しくは、自動分析装置で用いる希釈容器やそれを含む試薬分注・希釈システムおよびそれらを有する自動分析装置に関するものである。
【背景技術】
【０００２】
従来、血液、尿および各種の体液等の生体試料を分析する自動分析装置は、ピペッティング機構などの分注手段を用いて検体や試薬等の液体試料を反応容器に分注している。
このような自動分析装置は、通常、検体や試薬等の希釈手段を有している。例えば、希釈ターンテーブル等の専用機構を用いるもの（特許文献１）、精製水等を充填した分注配管に接続した分注プローブを用いるもの（特許文献２および３）、および、専用の希釈ターンテーブル等を用いず反応セルで希釈をおこなうもの（特許文献４）などが挙げられる。
【先行技術文献】
【特許文献】
【０００３】
【特許文献１】特開２０１３−２４２２３８
【特許文献２】特開２００９−２１０４８３
【特許文献３】特開２００８−３０４３３４
【特許文献４】特開２０１１−１１７７５５
【発明の概要】
【発明が解決しようとする課題】
【０００４】
前記背景技術において、希釈ターンテーブル等の専用機構を用いる希釈手段は、当該専用機構のための空間が必要となるため、それを搭載する自動分析装置が大型化する。
また、自動分析装置において、希釈ターンテーブル等、本来の分析にかかわる機構以外の機構が増えると、希釈のための工数が増加するので、自動分析のスループットが低下する。
また、自動分析装置における当該専用機構の設置場所によっては、検体や試薬等の移動距離、および、希釈に要する液などの移動距離が増えるので、自動分析のスループットが低下する。
【０００５】
前記背景技術において、精製水や生理食塩水等を充填した分注配管に接続した分注プローブを用いる希釈手段は、濃縮試薬等を精製水等で希釈することが可能であり、スループットを低下させないメリットはあるが、プローブの分注配管を汚染してしまうために、精製水や生理食塩水以外の溶液を用いて試薬を混合することはできない。
【０００６】
前記背景技術において、専用の希釈ターンテーブル等を用いず反応セルで希釈をおこなう希釈手段は、専用機構のための空間が必要ないが、反応に用いるセルやプローブなどの機構を希釈のためにも占有するため、自動分析のスループットが低下する。
【０００７】
本発明は、上記に鑑みてなされたものであって、より小型で、自動分析装置への適用においてもスループットを低下させない希釈容器を提供することを目的とする。
【課題を解決するための手段】
【０００８】
上述した課題を解決し、目的を達成するために、本発明の概要は以下のとおりである。
［１］希釈カップおよび試薬分注ノズル洗浄用カップを一体化させた希釈容器
［２］さらに希釈カップの洗浄と試薬分注ノズル洗浄用カップの洗浄のための共通の洗浄機構を有する、［１］の希釈容器
［３］［１］または［２］の希釈容器に、さらに試薬分注ノズルを有する、試薬分注・希釈システム
［４］［３］の試薬分注・希釈システムを有する、自動分析装置
【発明の効果】
【０００９】
本発明の希釈容器は、希釈カップおよび試薬分注ノズル洗浄用カップを一体化させた構造からなるため、占有する空間がほとんど必要なく、それを搭載する試薬分注・希釈システムや自動分析装置を小型化することができる。
さらに希釈カップの洗浄と試薬分注ノズル洗浄用カップの洗浄のための共通の洗浄機構を有する本発明の希釈容器は、必要最小限の専用機構しか用いないため、当該専用機構の占有する空間がほとんど必要なく、それを搭載する自動分析装置を小型化することができる。
また、前記希釈容器に、さらに試薬分注ノズルを有する、試薬分注・希釈システムや自動分析装置は、試薬分注ノズルを希釈にも用いることができ小スペース化を実現することができる。また、試薬分注ノズルの動く回数を減らすことができる、プローブの移動（回転）距離を短くすることができる、および／または、プローブの吸引吐出回数を減らすことができる等の理由により、希釈のための工数や時間が減少し、自動分析のスループットを向上させることができる。
【図面の簡単な説明】
【００１０】
【図１】本発明の実施の形態１の外観を示す。
【図２】本発明の実施の形態１を、一方向から見た図である。
【図３】本発明の実施の形態１を、図２で見ている方向とは直交する別の一方向から見た図である。参考線１および参考線２は各部の相対的な位置を把握するため本図内に便宜上設けた線である。
【図４】本発明の実施の形態１を図３の希釈カップ７の中心およびノズル洗浄カップ９の中心を結ぶ直線で切った断面図である。参考線３は各部の相対的な位置を把握するため本図内に便宜上設けた線である。
【図５】希釈カップ７の配管の配置、配管から排出される液の希釈カップ７における流れを模式化した図である。
【図６】ノズル洗浄カップ９の配管の配置、配管から排出される液のノズル洗浄カップ９における流れを模式化した図である。
【図７】本発明の自動分析装置の一例を示す図である。
【発明を実施するための形態】
【００１１】
本発明の実施形態の一つは、希釈カップおよび試薬分注ノズル洗浄用カップを一体化させた希釈容器である。
【００１２】
（実施の形態１）
以下、本発明の希釈容器にかかる実施の形態１について、図面を参照しつつ詳細に説明する。図１は、実施の形態１の外観を示す。図２は実施の形態１を一方向から見た図（以後、「側面図」または「側面から見た図」とも言う。）である。図３は実施の形態１を図２で見ている方向とは直交する別の一方向から見た図（以後、「上面図」または「上面から見た図」とも言う。）である。図４は実施の形態１を図３の希釈カップ７の中心およびノズル洗浄カップ９の中心を結ぶ直線で切った断面図である。
以下、図１〜４に記載の形態を中心に説明するが、本発明はこの態様に制限されない。
【００１３】
実施の形態１において、希釈容器１００は、図１〜４に示すように、配管１〜６、希釈カップ７およびそのドレイン８、ノズル洗浄カップ９およびそのドレイン１０を備えている。
【００１４】
（希釈カップ）
希釈カップ７は、上面が開放されており、下方はドレイン８とつながっていて通液が可能となっている。
希釈カップ７とドレイン８の接続部分は、希釈カップ７で希釈を行っている時には液がドレイン８に進入しないよう手立てを講じておくことが好ましい。そのような手段としては特に限定されないが、以下の方法が例示できる。
（１）接続部分に開閉可能な弁を設ける。
（２）ドレイン８との接続部の孔径面積を調整することにより、希釈時は蓋がなくても表面張力により液を希釈カップ７に保持し、かつ、ドレイン８にポンプなどを予め接続しておき、液を排出する際にはポンプを作動させて希釈カップ７に溜まった液を吸引する。
【００１５】
弁を設定する必要がないという点では前記の（２）が好ましい。
本発明の希釈容器の希釈カップ７は、このような構造にすることにより混合後の残りの試薬を吸引排出する機構を備えることにより、試薬の排出をプローブによる吸引吐出機構を用いず迅速に行うことが可能である。また、希釈カップ７を水で洗浄した後も同様に液の排出を迅速かつ、液残りなく行うことが可能である。
希釈容器の吸引口に蓋を設置した場合は、蓋の開閉に特別な設備が必要になり、また、蓋を介したキャリーオーバーが発生することが考えられるが、本発明の希釈容器ではそのような点について考慮する必要はない。
【００１６】
希釈カップ７は、配管１および２とそれぞれつながっていて、各配管から水を希釈カップに供給できる。配管の態様は、水を希釈カップ７に供給できる限りにおいて、何ら制約を受けない。
例えば、図１〜４に記載の形態は本発明の実施の形態の１例であって、配管の数、各配管の希釈カップ７との接続位置、各配管の希釈カップ７に液が吐出される角度など、その態様は、水を希釈カップ７に供給できる限りにおいて、何ら制約を受けない。
配管を経由しての水の供給方法は特に限定されない。例えば各配管にポンプなどを予め接続しておき、水を供給する際にはポンプを作動させて希釈カップ７に水を供給することができる。
【００１７】
希釈カップ７の形は特に限定されないが、希釈の際に液が容器内をスムーズに流れ混合されやすいという点では、例えば上から（図３の視点で）見た場合に曲面のみで閉じた形であることが好ましい。さらに好ましくは、楕円形、円形である。さらに好ましくは円形である。立体的に見た場合は、円柱の上部と半球または円錐（好ましくは半球）の下部とを接続したような形が好ましい。
【００１８】
図１〜４に記載の形態では、希釈カップ７に接続する配管の数は２つであり、液の吐出口が上から（図３の視点で）見た場合に点対称に配置されている。
配管の数は特に限定されないが、複数にすることにより液供給や洗浄の効率が良くなる一方、多すぎると構造が複雑になるので、４つ（さらには３つ、さらには２つ）が好ましい。また配管の液の吐出口の間隔は特に限定されないが、均一に洗浄できることから、等間隔であることが好ましい。
また、配管から液が吐出される方向は特に限定されないが、図１〜４に記載の形態では、２つの配管から液が吐出される方向は、互いに直面せず、図５のように少しずれた方向に設定されている。好ましくは、２つの配管から対称な方向に液が排出されるよう配管の位置を設定すればよい。これによって、希釈カップ７の中を液がカップの壁面を沿って対流するように流れるので、洗浄の効率がさらに向上する。
また、２つの配管の位置は垂直方向に同じ高さであっても良いし、高さが違っていても良い。
【００１９】
本発明の希釈容器の希釈カップ７は、前記のような構造にすることにより強力な洗浄機構を有する。したがって、様々な試料を希釈する際にもキャリーオーバーを抑制することができる。
また、本発明の希釈容器の希釈カップ７は、前記のような構造にすることによりプローブの吸引撹拌によって十分に試薬を混合することができるようになっている。したがって、測定のばらつきを減少することができる。
【００２０】
（ノズル洗浄カップ）
ノズル洗浄カップは、試薬の分注に用いられるノズルを洗浄するためのものである。
ノズル洗浄カップ９は、上面が開放されており、下方はドレイン１０とつながっていて通液が可能となっている。
ノズル洗浄カップ９とドレイン１０の接続部分は開放されており、ノズル洗浄カップ９に流入した液は重力で自然にドレイン１０から排出されるようになっていることが好ましいが、その接続態様は特に限定されない。
【００２１】
ノズル洗浄カップ９は、配管３ないし６とそれぞれつながっていて、各配管から水を希釈カップに供給することができ、および／または、配管を通して洗浄カップにエアーを吸引・吐出することができる。配管の態様は、水またはエアーをノズル洗浄カップ９に供給できる限りにおいて、何ら制約を受けない。
例えば、図１〜４に記載の形態は本発明の実施の形態の１例であって、配管の数、各配管のノズル洗浄カップ９との接続位置、各配管のノズル洗浄カップ９に液が吐出される角度など、その態様は、水をノズル洗浄カップ９に供給できる限りにおいて、何ら制約を受けない。
配管を経由しての水の供給方法は特に限定されない。例えば各配管にポンプなどを予め接続しておき、水を供給する際にはポンプを作動させてノズル洗浄カップ９に水を供給することができる。
あるいは、例えばエアーを吸引・吐出するための配管（エアー配管）として配管３ないし６を利用することもできる。配管を通してエアーを吸引・吐出するための手段は特に限定されない。例えば、ポンプを用いればよい。水を供給するためのポンプをエアー吸引・吐出手段として併用することもできる。
エアーを用いることにより、ノズル洗浄後のノズルに付着した水滴を配管３ないし６のいずれかより吐出するエアーによって吹き飛ばして除去し、水切れをよくすることができる。
【００２２】
ノズル洗浄カップ９の形は特に限定されないが、ノズルを効率よく確実に洗浄するという点では、ノズルの先端を含む部分が完全に含まれる程度の長さがあることが好ましい。
また、ノズルに合った太さであることが好ましい。例えばノズルの断面の直径に対して２倍以上、好ましくは３倍以上、さらに好ましくは４倍以上の太さに設定すればよい。
【００２３】
図１〜４に記載の形態では、ノズル洗浄カップ９に接続する配管の数は４つである。配管の数は特に限定されないが、複数にすることにより液供給や洗浄の効率が良くなる一方、多すぎると構造が複雑になるので、２〜４つ程度が好ましい。
あるいは配水目的の配管（配水管）とエアーを吸引・吐出するための配管（エアー配管）とを別々に設定し組み合わせることもできる。配水管とエアー配管の数の設定は特に限定されないが、同数であることが好ましい。エアーを用いることにより、ノズル洗浄後のノズルに付着した水滴を配管より吐出するエアーによって吹き飛ばして除去し、水切れをよくすることができる。
４つの配管の位置は特に限定されない。垂直方向に同じ高さであっても良いし、高さが違っていても良い。図１〜４に記載の形態では、ノズル洗浄カップ９に接続する配管は２つずつが垂直方向に異なる高さに設定されており、それぞれの２つずつの配管の液の吐出口が上から（図３の視点で）見た場合に点対称に配置されている。配管の液の吐出口の間隔は特に限定されないが、均一に洗浄できることから、点対称（または等間隔）であることが好ましい。
また、配管から液が吐出される方向は特に限定されないが、図１〜４に記載の形態では、前記それぞれの２つずつの配管から液が吐出される方向は、互いに直面せず、図５のように少しずれた方向に設定されている。好ましくは、２つの配管から対称な方向に液が排出されるよう配管の位置を設定すればよい。これによって、ノズル洗浄カップ９の中を液がカップの壁面を沿って対流するように流れるので、洗浄の効率がさらに向上する。
さらに、図１〜４に記載の形態では、前記の４つの配管から液が吐出される方向は、互いに直面せず、図６のように互いに少しずれた方向に設定されている。好ましくは、４つの配管から対称な方向に液が排出されるよう配管の位置を設定すればよい。これによって、ノズル洗浄カップ９の中を液がカップの壁面を沿って対流するように流れるので、洗浄の効率がさらに向上する。
点対称に配置された配管の高さや向きなどは特に限定されない。点対称に配置された配管は同じ高さおよび／または向きであってもよいが、配管を異なる高さで設置し異なる高さから水を吐出するか、あるいは、配管の設置角度を変えて異なる角度で水を吐出することで、ノズル洗浄カップ９の中を液がカップの壁面を沿って対流するように流れるため、洗浄効率がさらに向上する。
これらの態様は、ノズルの長い領域を効率よく確実に洗浄するのに適している。
【００２４】
本発明の希釈容器のノズル洗浄カップ９は、前記のような構造にすることにより強力な洗浄機構を有する。したがって、様々な試料を希釈する際にもキャリーオーバーを抑制することができる。
【００２５】
（希釈容器における希釈カップとノズル洗浄カップの位置関係）
本発明の希釈容器１００は、前記希釈カップ７と前記試薬分注ノズル洗浄用カップ９とが一体化されている。
希釈容器１００の形態は、希釈カップ７および試薬分注ノズル洗浄用カップ９と一体化して保持し、かつ、希釈カップ７および試薬分注ノズル洗浄用カップ９を使用時に鉛直方向に設置することができる限り特に制限されない。例えば、円柱または正多角形の直角柱などが挙げられる。好ましくは円柱である。構造を安定化させるなどの目的で、さらに、支柱や土台などと結合していても良い。
希釈容器１００の中で、希釈カップ７に結合するドレイン８は使用時に鉛直方向に設置することが好ましいが、希釈カップ７の排液を吸引排出機構で行う場合などはその限りではない。また、同様に、ノズル洗浄用カップ９に結合するドレイン８は使用時に鉛直方向に設置することが好ましい。
希釈カップ７とノズル洗浄用カップ９の形状や大きさは同じである必要は無いが、希釈容器１００の中での開口部の高さは同じであることが好ましい（例えば図４）。
【００２６】
希釈容器１００の材質は特に制限されないが、ＰＳ（ポリスチレン）、ＰＥＴ（ポリエチレンテレフタレート）、ＰＥ（ポリエチレン）、ＰＰ（ポリプロピレン）、ＡＳ（アクリロニトリル・スチレン）、塩化ビニル、ＰＦＡ（ペルフルオロアルコキシフッ素樹脂）、ＰＣＴ（ポリシクロヘキサンジメチレンテレフタレート）、ＰＣＴＡ等を用いることができる。
【００２７】
本発明の実施形態の一つは、さらに希釈カップの洗浄と試薬分注ノズル洗浄カップの洗浄のための共通の洗浄機構を有する、前記の希釈容器である。
【００２８】
（共通の洗浄機構）
希釈カップの洗浄工程は、希釈カップ７への配管からの水の導入と、洗浄液のドレイン８からの吸引排出を含む。したがって、洗浄機構としては特に限定されないが、例えば水の導入には、前述のように各配管から水を希釈カップに供給できる限りにおいて、何ら制約を受けない。例えばショットポンプやシリンジポンプ等のポンプなどが挙げられる。また、例えば洗浄液の吸引排出には、吸引ポンプ等を用いればよい。
ノズル洗浄カップの洗浄工程は、希釈カップ７への配管からの水の導入と、洗浄液のドレイン８からの排出を含む。例えば水の導入には、前記のポンプを希釈カップの洗浄と共通で用いることができる。洗浄液の排出には特に外力は必要ないが、希釈カップの洗浄と同様に吸引ポンプ等を用いて吸引吐出しても良い。
【００２９】
本発明の実施形態の一つは、前記の希釈容器に、さらに試薬分注ノズルを有する、試薬分注・希釈システムである。
【００３０】
（試薬分注ノズル）
本発明のシステムで用いる試薬分注ノズルの態様は特に限定されない。たとえば市販の種々の自動分析装置に用いられているものと同様のものを使用することができる。一例では、垂直上下方向に昇降可能で、かつ、水平面内を時計回りおよび反時計回りに回動可能なアームの先端付近から垂直下方向に接続している形態のものが例示できる。
【００３１】
試薬分注ノズルは、前記アームを経由して設定された配管を通して、吸引吐出用ポンプおよび水供給用ポンプとそれぞれ接続し、試薬分注・希釈システムを形成していても良い。吸引吐出用ポンプを用いることにより、試薬を、試薬分注ノズルに吸引したまま試薬分注ノズルを動かして、目的の場所に吐出させることができる。また、水供給用ポンプを用いることにより、試料希釈用の水を供給したり、試薬分注ノズルに水を通してノズルの内部を洗浄したりできる。なお、吸引吐出用ポンプおよび水供給用ポンプと試薬分注ノズルとの接続切替えは、適宜弁などを設定して行うことができる。
【００３２】
本発明の実施形態の一つは、前記の試薬分注・希釈システムを有する、自動分析装置である。
【００３３】
（自動分析装置）
前記の試薬分注・希釈システムが適用される本発明の自動分析装置には特に制限が無い。
本発明の自動分析装置の一例について概要を図７に示す。図７の自動分析装置２００は、固相が設けられた反応材上で、検体中の測定対象を免疫反応を利用して検出する方法に用いることを想定している。
図７の自動分析装置２００の主な構成は、検体を待機させる検体ラックの設置部２０１（および、検体を反応テーブル上の反応材に供給するための機構２０１ａ）、測定に用いる反応材の供給部２０２（および、反応材を反応テーブル上に供給するための機構２０２ａ）、測定に用いる試薬を配置する試薬テーブル２０３（および、試薬を反応テーブル上の反応材に供給するための機構２０３ａ）、測定に用いる基質を配置する保管庫２０４（および、基質を反応テーブル上の反応材に供給するための機構２０４ａ）、検体と反応材・試薬との反応が行われる反応テーブル２０５、反応により生じた物理化学的変化を検出する検出部２０６、などからなる。２０１ａ、２０３ａおよび２０４ａの形態は特に限定されないが、例えば前記の試薬分注ノズルの態様をとることができる。
前記の例においては、本発明の試薬分注・希釈システムは２０３ａおよび／また２０４ａに適用可能である。
図７の例においては、２０３ａおよび／または２０４ａは前記の試薬分注ノズルの態様を取っている。２０４ａの試薬分注ノズルのアームの先端が回動する動線に沿って、４つの保管庫２０４が設置され、さらにその動線の先の反応テーブル２０５より手前に本発明の希釈容器１００を設置することができる。また、２０３ａの試薬分注ノズルのアームの先端が回動する動線に沿って、試薬テーブル２０３と反応テーブル２０５との間に本発明の希釈容器１００を設置することができる。
【００３４】
本発明の試薬分注・希釈システムの効果がより発揮される態様の一つとして、反応材に供給する直前に希釈や混合が必要な試薬を用いる場合などが挙げられる。
そのような態様は特に限定されないが、例えば、反応に適した条件では安定性が良くない試薬を、安定な条件で保存しておき、使用直前に他の試薬と混合することにより反応に適した条件に調整する場合などが挙げられる。
具体的な例としては、発色基質や発光基質を、抗体に標識したペルオキシダーゼやアルカリフォスファターゼやその他フォスファターゼと反応させる際、反応性を向上させるために、使用直前に、発色基質や発光基質を発色基質希釈液または発光基質希釈液等で希釈してｐＨを変化させ酵素の反応至適ｐＨに調整する方法や、発色基質や発光基質の濃度を至適濃度に希釈調整する方法が挙げられる。
【００３５】
本発明の自動分析装置は、さらに制御部、入力部、表示部などを備えていてもよい。制御部は、例えば、マイクロコンピュータ等が使用され、自動分析装置２００と接続されて、自動分析装置２００の各構成部の作動を制御すると共に、検出部２０６が検出した物理化学的変化の値に基づいて検体の成分濃度等を分析する。また、制御部は、例えば、キーボード等の入力部から入力される分析指令に基づいて自動分析装置２００の各構成部の作動を制御しながら分析動作を実行させると共に、分析結果や警告情報の他、入力部から入力される表示指令に基づく各種情報等をディスプレイパネル等の表示部に表示する。また、制御部は、例えば、前記吸引吐出用ポンプや水供給用ポンプの駆動を制御することにより、試薬や水の吐出量を制御する。
【００３６】
上記で、本発明の自動分析装置を、免疫反応を利用して検出する方法に用いる自動分析装置を例に挙げて説明したが、それに限定されない。例えば本発明を、生化学検査用の自動分析装置、一般検査用の尿定性装置、尿沈査用の自動分析装置に適用してもよい。更に、本発明の自動分析装置は、１つの自動分析装置をユニットとして複数ユニット備えたものであってもよい。
【００３７】
（本発明の希釈容器等の動作説明）
自動分析装置２００においては、基質を配置する保管庫２０４に発光基質試薬と発光基質希釈液との２種類の試薬が保管されており、使用時に両試薬を混合する例を挙げて説明する。
【００３８】
試薬分注ノズル（２０４ａの一態様、以下「ノズル」と略称する場合がある。）を回動により保管庫２０４に保管されている発光基質試薬上に移動させ、次いでノズル先端が試薬に触れるよう下降させて試薬を吸引し、吸引後、ノズルを上下動および回動させて、ノズルの先端付近がノズル洗浄カップ９に入るよう移動させ停止させる。ノズルが停止した状態で、ノズル洗浄カップ９の配管５、６から洗浄用の水を吐出してノズル先端付近の外壁を洗浄後、ノズル洗浄カップ９の配管３、４からエアーを吐出してノズル先端付近に付着した水滴を除去する。ノズル洗浄カップ９の排液は、ドレイン１０から排出される。
次に、ノズルを上下動および回動させて、保管庫２０４に保管されている発光基質希釈液を吸引し、吸引後、ノズルを、上下動および回動の組合せにより、ノズルの先端付近が希釈容器７に入るよう移動させ停止させる。ここで、先に吸引した試薬と発光基質希釈液とを合わせて希釈容器７に吐出する。２つの試薬を同一プローブで吸引することでスループットを向上させることができる。
【００３９】
前記操作において、発光基質希釈液を吸引する前に、少量（適量）のエアーを吸引し、保管庫２０４に保管されている発光基質希釈液が保持された容器に発光基質が混入しないようにすることもできる。
また、上記工程においては、発光基質希釈液を吸引する前に希釈容器７に発光基質を吐出し、ノズル洗浄後に発光基質希釈液を吸引し、希釈容器７に吐出するといったように、発光基質試薬と発光基質希釈試薬の吐出を分けて行っても良い。
【００４０】
希釈容器７に試薬と発光基質希釈液とを吐出後、ノズルを用いて希釈容器７に吐出した試薬を吸引撹拌によって混合する。混合した試薬を、ノズルで所定量吸引し、ノズルを上下動および回動させて、ノズルの先端が反応テーブル２０５にセットされている反応容器の上に来る移動させ停止させる。ここで、先に吸引した混合試薬を反応テーブル２０５にセットされている反応容器に吐出する。
【００４１】
その後、ノズルをノズル洗浄カップ９にて上記と同様に洗浄、エアブローする。また、希釈容器７の洗浄は、配管１、２から希釈容器７内に水を吐出し希釈容器を洗浄したのち、ドレイン８から排液を排出する。以後、次の測定においてもこれらの動作を繰り返し行っていく。
【００４２】
なお、本発明で記載される自動分析装置における試薬等の供給・分注などの手段（たとえば、図７における２０１ａ、２０２ａ、２０３ａおよび２０４ａなどの機構）は、必ずしも他の機構と分断してモジュール化されたものでなくてもかまわず、いくつかの機構が連携して希釈できるよう構成されていても差し支えない。
【産業上の利用可能性】
【００４３】
本発明は、血液、尿および各種の体液等の生体試料を分析する自動分析装置などに適用可能である。
【符号の説明】
【００４４】
１−６        配管
７            希釈カップ
８            希釈カップのドレイン
９            ノズル洗浄カップ
１０            ノズル洗浄カップのドレイン
１００            希釈容器
２００            自動分析装置
２０１            検体ラックの設置部
２０１ａ          検体を反応テーブル上の反応材に供給するための機構
２０２            反応材の供給部
２０２ａ          反応材を反応テーブル上に供給するための機構
２０３            試薬テーブル
２０３ａ          試薬を反応テーブル上の反応材に供給するための機構
２０４            基質を配置する保管庫
２０４ａ          基質を反応テーブル上の反応材に供給するための機構
２０５            反応テーブル
２０６            検出部
【図１】
2018096934.tif 000003
【図２】
2018096934.tif 000004
【図３】
2018096934.tif 000005
【図４】
2018096934.tif 000006
【図５】
2018096934.tif 000007
【図６】
2018096934.tif 000008
【図７】
2018096934.tif 000009